(57)【要約】【課題】  演奏者のパフォーマンスを制限することなく、また他の楽器と共に演奏する場合でも、バイオリンの演奏音を音色、音量とも十分にピックアップすることができ、そして、バイオリンの胴の共鳴音をその音程に関係なく、ほぼ一定のレベルで十分にピックアップする一方、バイオリンの弓による擦弦音等を有効に抑えることができるようにする。【解決手段】  バイオリン１等の胴２内に無指向性コンデンサーマイク等の小型マイク４を入れ、バイオリン１の∫字孔３Ａ・３Ｂを防音材５・６・７で塞ぐことにより、バイオリン１の演奏時に前記小型マイク４で胴２内の共鳴音をピックアップする一方、前記防音材５・６・７で弓による擦弦音や返し音に対する胴２内の防音を行う。また、必要に応じて、防音材５・６等でバイオリン１の∫字孔３Ａ・３Ｂを完全に塞がずに、一部を開放状態とすることにより、弓による擦弦音等も制限的にピックアップする。【選択図】  図２
2007310042.tif 000002
【特許請求の範囲】
【請求項１】
バイオリン類の胴内に小型マイクを入れ、バイオリン類の∫字孔を防音材で塞ぐことにより、バイオリン類の演奏時に前記小型マイクで胴内の共鳴音をピックアップする一方、前記防音材で弓による擦弦音や返し音に対する胴内の防音を行うことを特徴とする、バイオリン類のピックアップ方法。
【請求項２】
防音材で∫字孔を塞ぐ際に、∫字孔の一部を開けておくことにより、弓による擦弦音や返し音も小型マイクで制限的にピックアップすることを特徴とする、請求項１記載のバイオリン類のピックアップ方法。
【請求項３】
小型マイクをバイオリン類の∫字孔から胴内に入れることを特徴とする、請求項１または請求項２記載のバイオリン類のピックアップ方法。
【請求項４】
バイオリン類の胴内に入れられる小型マイクと、バイオリン類の∫字孔の全部または一部を塞ぐ∫字孔用防音材を有するバイオリン類のピックアップ装置。
【請求項５】
小型マイクが無指向性コンデンサーマイクである請求項４記載のバイオリン類のピックアップ装置。
【請求項６】
∫字孔用防音材が、バイオリン類の∫字孔にほぼ対応する形状の本体部と、本体部の上面外縁に形成されたフランジ部とを有する、請求項４または請求項５記載のピックアップ装置。
【発明の詳細な説明】
【技術分野】
【０００１】
本発明は、エレクトリック・アコースティックバイオリン等のバイオリン類のピックアップ方法およびこれに用いるピックアップ装置に関する。
【背景技術】
【０００２】
従来、バイオリン等の演奏音をピックアップする場合、スタンドマイクが使用されることがあったが、スタンドマイクはバイオリンの実際の音に近い音でピックアップできるという利点があるものの、バイオリン演奏と共に管楽器やドラム等の他の楽器も演奏される場合、バイオリンよりも大きな音を出す楽器の音が優勢にピックアップされ、バイオリンの音が十分にピックアップされないという欠点があった。また、この問題を解消するためにマイクの感度を上げた場合にはハウリングが発生し易かった。更に、スタンドマイクを使用する場合には、バイオリンの演奏音がスタンドマイクの感度範囲から外れないようにするために、バイオリンの演奏者は常にマイクの前で演奏することを余儀なくされることから、演奏者が身体を大きく振ったり、ステージ上で動きながら演奏を行うというパフォーマンスが制限されるという不都合もあった。
【０００３】
また、前述したような問題に対処するために、バイオリンの顎当てやテールピース等に取付具を介して指向性のコンデンサーマイクを固定し、該マイクをバイオリンの駒上方や∫字孔付近の上方に配して演奏音をピックアップしていた。
【０００４】
更にまた、現在では、バイオリン演奏のピックアップ装置として、圧電素子を利用したピエゾピックアップ装置が多く用いられており、具体的にはバイオリンの駒やその内部、或いは駒上の弦にピエゾピックアップ装置を取り付け、これで駒自体の振動や弦一本ずつの振動を電気信号に変換することでピックアップを行っている。
【０００５】
この他、前記ピエゾピックアップ装置と指向性コンデンサーマイクを併用したものも知られている。
【発明の開示】
【発明が解決しようとする課題】
【０００６】
前述した指向性コンデンサーマイクによるピックアップの場合、バイオリンの演奏者が自由に動きながら演奏することができ、またバイオリンの弦に近い位置で演奏音をピックアップすることができるため、バイオリンの演奏音を十分にピックアップできるという利点がある。しかしながら、この場合、バイオリンの演奏時に胴の共鳴音と共に弓がバイオリンの弦を擦弦する音や弓を返す音までピックアップされるため、バイオリンの心地よい音色を得がたいという欠点があった。また、指向性コンデンサーマイクを使用した場合でもバイオリン周辺の音もピックアップされるため、前述したスタンドマイクによるピックアップの場合と同様、バイオリンよりも大きな音量の他の楽器の演奏音が優勢にピックアップされる場合がある上、コンデンサーマイクによる演奏音のピックアップ位置が固定的であるのに対し、演奏時のバイオリンの胴における共鳴位置は音程により異なることから、音程によってピックアップする音量にムラが生ずるという問題もあった。
【０００７】
ピエゾピックアップ装置の場合、大音量のピックアップにおいても、ハウリングが起こり難いという利点があるが、圧電素子の振動を電気信号に変換するものであるため、バイオリンではその胴内の共鳴音をあまりピックアップせず、擦弦音ばかりをピックアップする傾向があるため、バイオリンの良好な音色が得られないという欠点があった。
【０００８】
この他、前記指向性コンデンサーマイクと前記ピエゾピックアップ装置を併用することも行われているが、この場合でも、バイオリンの胴の共鳴音よりも弓による擦弦音や弓を返す音が多くピックアップされるため、バイオリン本来の音色が得られなかった。
【０００９】
本発明の目的は、演奏者のパフォーマンスを制限することなく、また他の楽器と共に演奏する場合でも、バイオリンの演奏音を十分にピックアップすることができ、そして、バイオリンの胴の共鳴音をその音程に関係なく、ほぼ一定のレベルで十分にピックアップする一方、バイオリンの弓による擦弦音等を有効に抑えることができるピックアップ方法およびこれに用いる装置を提供することにある。
【課題を解決するための手段】
【００１０】
請求項１記載の本発明は、バイオリン類の胴内に小型マイクを入れ、バイオリン類の∫字孔を防音材で塞ぐことにより、バイオリン類の演奏時に前記小型マイクで胴内の共鳴音をピックアップする一方、前記防音材で弓による擦弦音や返し音に対する胴内の防音を行うことを特徴とするバイオリン類のピックアップ方法である。
【００１１】
バイオリン類には、バイオリン、ビオラ、チェロおよびコントラバス等が含まれる。
【００１２】
また、防音材とは音の伝わりを制限する機能を有するあらゆるものが含まれ、具体的には市販されている遮音材や吸音材等、種々のものが含まれる。
【００１３】
請求項２記載の本発明は、前記請求項１記載のピックアップ方法について、防音材で∫字孔を塞ぐ際に、∫字孔の一部を開けておくことにより、弓による擦弦音や返し音も小型マイクで制限的にピックアップすることを特徴とするものである。
【００１４】
請求項３記載の本発明は、前記請求項１または請求項２記載のバイオリン類のピックアップ方法について、小型マイクをバイオリン類の∫字孔から胴内に入れることを特徴とするものである。
【００１５】
請求項４記載の本発明は、バイオリン類の胴内に入れられる小型マイクと、バイオリン類の∫字孔の全部または一部を塞ぐ∫字孔用防音材を有するバイオリン類のピックアップ装置である。
【００１６】
請求項５記載の本発明は、前記請求項４記載のピックアップ装置について、小型マイクが無指向性コンデンサーマイクであることを特徴とするものである。
【００１７】
請求項６記載の本発明は、前記請求項４または請求項５記載のピックアップ装置について、∫字孔用防音材が、バイオリン類の∫字孔にほぼ対応する形状の本体部と、本体部の上面外縁に形成されたフランジ部とを有することを特徴とするものである。
【発明の効果】
【００１８】
請求項１記載のバイオリン類のピックアップ方法は、バイオリン類の∫字孔を防音材で塞いで、主にバイオリン類の胴内の共鳴音をピックアップする一方、弓による擦弦音や返し音を前記防音材によって遮音または吸音せしめるため、演奏を聞いている人には、バイオリン類の心地よい音色となる胴内の共鳴音が聞こえ、強すぎるとバイオリン類の音質の妨げとなる弓による擦弦音や返し音が胴内の小型マイクによってピックアップされないことから、バイオリン類本来の優雅な音色を意図的にピックアップすることができる。
【００１９】
すなわち、ピックアップを行わないアコースティックバイオリンでは、その胴の共鳴音が演奏を聞く人の耳に届き、弓による擦弦音や返し音は演奏を聴く人の耳まで届くまでに減衰するため、人の耳には前記共鳴音が主に届くため、バイオリンの優雅な音色が自然に得られることとなるが、本発明に係るピックアップ方法によれば、エレクトリックアコースティックバイオリンにおいても、アコースティックバイオリンと同様の音色のピックアップが可能となる。そして、本発明では、前述したように、バイオリン類の胴内に入れた小型マイクによりピックアップを行うため、前記アコースティックバイオリンと同様の音がハウリングを起こすことなく、高レベルでピックアップされ、且つ小型マイクはバイオリン類の防音された胴内にあるため、管楽器やドラム等の音量の大きい他の楽器と共に演奏される場合でも、他の楽器の音をピックアップすることなく、バイオリン類の音だけを有効にピックアップすることができるという格別の効果がある。
【００２０】
また、請求項２記載の本発明は、前記請求項１記載のピックアップ方法について、防音材で∫字孔を塞ぐ際に、∫字孔の一部を開けておくことにより、弓による擦弦音や返し音も小型マイクで制限的にピックアップするため、民族音楽のダンス曲等の演奏に適した音質が得られる利点がある。
【００２１】
請求項３記載の本発明は、バイオリン類にもともとある∫字孔から小型マイクを胴内に入れるため、バイオリン類自体の構造を変更する必要がないという利点がある。
【００２２】
請求項４記載のピックアップ装置は、バイオリン類の胴内に入れられる小型マイクと、バイオリン類の∫字孔の全部または一部を塞ぐ∫字孔用防音材という２つの部材だけで前述した本発明に係る優れたピックアップ方法を簡単且つ安価に実施することができ、また従来多く用いられていたピエゾピックアップを使用する必要もない。
【００２３】
請求項５記載のピックアップ装置は、小型マイクが無指向性コンデンサーマイクであるため、該マイクでバイオリン類の防音された胴内で演奏時の共鳴音を均等に集音するため、演奏音の音程によって胴における共鳴位置が変化しても共鳴音を的確に集音することができ、その結果、幅広い音域での共鳴音をピックアップすることが可能となる。
【００２４】
請求項６記載のピックアップ装置は、∫字孔用防音材が、バイオリン類の∫字孔にほぼ対応する形状の本体部と、本体部の上面外縁に形成されたフランジ部とを有するものであるため、∫字孔を簡単且つ確実に塞ぐことができる。
【００２５】
この他、本発明によれば、バイオリン類の胴内でピックアップを行うため、従来のスタンドマイクによるピックアップのような演奏者のパフォーマンスを制限するといった不都合もない。
【００２６】
以上要するに、本発明のピックアップ方法およびこれに用いるピックアップ装置によれば、簡単な構成で従来になかった優れた音質でのピックアップが実現されるのである。
【発明を実施するための最良の形態】
【００２７】
次に、本発明をバイオリンに適用した場合の実施形態について図面にしたがって説明するが、本発明はかかる実施形態に限定されるものではなく、その要旨の範囲内で種々の変形実施が可能である。
【００２８】
本実施形態は、図１に示すバイオリン(1)についてのピックアップを行うものであって、バイオリン(1)自体は、市販されている通常のバイオリンであって、胴(2)の下部に顎当て(8)が取り付けられ、胴(2)の中央部分には左右一対の∫字孔(3A)
(3B)があり、また胴(2)の下端には緒止掛(9)がある。
【００２９】
本実施形態のピックアップ装置として、マイクコード(4a)およびマイク端子(4b)を有する無指向性コンデンサーマイク(4)と、バイオリン(1)における左右一対の∫字孔(3A) (3B)を塞ぐ∫字孔用防音材(5)(6)を用意する。∫字孔用防音材(5)(6)は、その本体(5a)(6a)が独立気泡性の発泡ウレタンゴム製であって、∫字孔(3A) (3B)に対応する形状であるが、より詳細には、図２に示すように、力木側の∫字孔(3A)を塞ぐ防音材(5)の本体(5a)は、∫字孔(3A)に完全に対応する形状となされて、力木側の∫字孔(3A)を完全に塞ぐものであるが、魂柱側の∫字孔(3B)を塞ぐ防音材(6)の本体(6a)は、図２および図３に示すように、∫字孔(3B)の下端部(3a)を除く他の部分を塞ぐ形状となされて、∫字孔(3B)の下端(3a)だけが開口(10)するものである。また、∫字孔用防音材(5)(6)の本体(5a)(6a)の上面にはこれらの外形よりも大きい略相似形の透明シート(5b)(6b)が貼着され、該透明シート(5b)(6b)によって本体(5a)(6a)の上面外縁にフランジ部が形成される。そして、∫字孔(3A) (3B)に防音材(5)(6)を嵌め入れた際には、シート(5b)(6b)により形成されたフランジ部が∫字孔(3A) (3B)の周縁上面に当接して、防音性がより高められると共に防音材(5)(6)を∫字孔(3A) (3B)から取り外す際に、シート(5b)(6b)を指で摘むことにより、防音材(5)(6)を容易に取り外すことができる。
【００３０】
なお、本実施形態では、∫字孔用防音材(5)(6)は、本体(5a)(6a)と透明シート(5b)(6b)の二部材構成としたが、両部材を同じ材料で一体に構成しても良い。
【００３１】
また、防音材(6)で魂柱側の∫字孔(3B)を塞いだ後にできる∫字孔(3B)下端の開口(10)には、該部から前記コンデンサーマイク(4)を入れると共に該開口(10)を塞ぐ別体の防音材(7)が装着される。より詳細には、防音材(7)は、全体が防音材(6)と同じ発泡ウレタンゴム製であって、コンデンサーマイク(4)のマイクコード(4a)を通し、且つ直径が∫字孔(3B)下端の開口(10)より若干大きい外形となされた円筒状部(7b)と円筒状部(7b)の上縁に形成されたフランジ部(7a)とを有するものである。
【００３２】
そして、バイオリン演奏のピックアップを行うに当たっては、コンデンサーマイク(4)を∫字孔(3B)下端の開口(10)からバイオリン(1)の胴(2)内に入れると共に、防音材(7)の円筒状部(7b)を前記∫字孔(3B)下端(3a)の開口(10)に嵌め入れることで、∫字孔(3B)が完全に塞がれると共に防音材(7)のフランジ部(7a)が前記開口(10)に被せられる結果、バイオリン(1)の胴(2)内が防音された状態となる。
【００３３】
その後、コンデンサーマイク(4)の端子(4b)をアンプやミキサー（いずれも図示せず）に接続することで、バイオリン(1)の演奏音のピックアップが行える。この場合、前記無指向性のコンデンサーマイク(4)で胴(2)内の共鳴音をピックアップする一方、前記防音材(5)(6)(7)で弓（図示せず）の擦弦音や返し音に対する胴内の防音を行う。この場合、演奏音の音程変化に伴って胴(2)の共鳴位置が変化するが、胴(2)内に入れた無指向性のコンデンサーマイク(4)により、共鳴音がほぼ一定のレベルで十分にピックアップされる。
【００３４】
なお、本実施形態では、バイオリン(1)の魂柱側の∫字孔(3B)を互いに別体構成とした防音材(6)と防音材(7)とで塞ぐようにしたが、防音材(6)の端部に防音材(7)が一体に形成された構造のもので塞ぐようにしても良い。
【００３５】
また、本実施形態では、∫字孔(3A) (3B)全体を防音材(5)(6)(7)で塞ぐ構成としたが、例えば防音材(5)(6)の一部を適宜切欠して∫字孔(3A)
(3B)の一部を開口させたままの状態とすることもあり、この場合、バイオリン(1)の胴(2)の共鳴音と共に弓による擦弦音等もコンデンサーマイク(4)で制限的にピックアップされることとなる。
【００３６】
更に、本実施形態では、コンデンサーマイク(4)を魂柱側の∫字孔(3B)から胴(2)内に入れたが、力木側の∫字孔(3A)から入れても良いし、或いは胴(2)下端の緒止掛(9)の取付孔（図示せず）を利用して該孔から入れても良い。
【産業上の利用可能性】
【００３７】
本発明は、バイオリン類の胴内を防音して該胴内の共鳴音を主体的にピックアップすることができるため、バイオリン類の優雅な音色を高レベルでピックアップすることが可能となり、また∫字孔に嵌め入れる防音材を適宜切欠することでバイオリン類の擦弦音等も制限的にピックアップすることができるため、クラシック、民族音楽或いはポップス等、バイオリン類を用いた幅広い音楽の適切なピックアップに用いられる。
【図面の簡単な説明】
【００３８】
【図１】実施形態に係るバイオリンの正面図である。
【図２】ピックアップ装置の一例を示す図である。
【図３】バイオリンの胴部分の拡大正面図である。
【図４】バイオリンの胴部分の拡大断面図である。
【符号の説明】
【００３９】
(1)  バイオリン
(2)  胴
(3A) (3B)   ∫字孔
(4)  コンデンサーマイク
(5)(6)(7)  ∫字孔用防音材 
【図１】
2007310042.tif 000003
【図２】
2007310042.tif 000004
【図３】
2007310042.tif 000005
【図４】
2007310042.tif 000006